(57)【要約】【課題】  複数台の磁気テープドライブを搭載可能な磁気テープライブラリ装置において、搭載する磁気テープドライブの台数がドライブセル数よりも少ない場合、残りのドライブセルは空の状態になってしまい、他の用途に使用することはなく、無駄なスペースになっていた。【解決手段】  複数台の磁気テープドライブを搭載することが可能な磁気テープライブラリ装置において、磁気テープドライブを搭載するドライブセル内にスイッチを備え、磁気テープドライブだけでなくテープマガジンを搭載しても認識が可能となり、テープマガジンを搭載することにより、ドライブセルをテープ格納セルとして使用することが可能となる。【選択図】      図４
2005174516.tif 000002
【特許請求の範囲】
【請求項１】
磁気テープを記録再生するドライブ搭載するためのセルを備えた磁気テープライブラリ装置において、
ドライブセルに磁気テープドライブまたはテープマガジンが搭載された際、それらを認識するための検出スイッチを持つことを特徴とする磁気テープライブラリ装置。
【請求項２】
複数台の磁気テープドライブを搭載することが可能な磁気テープライブラリ装置において、
磁気テープドライブを搭載するドライブセル内にスイッチを備え、磁気テープドライブだけでなくテープマガジンを搭載しても認識が可能となり、テープマガジンを搭載することにより、ドライブセルをテープ格納セルとして使用することが可能となることを特徴とする磁気テープライブラリ装置。
【発明の詳細な説明】
【技術分野】
【０００１】
本発明は、磁気テープライブラリ装置に関し、特に複数台の磁気テープドライブを搭載することが可能な磁気テープライブラリ装置において、磁気テープドライブを搭載するドライブセル内にスイッチを設けることにより、磁気テープドライブだけでなくテープマガジンを搭載しても認識が可能となる磁気テープライブラリ装置に関する。
【背景技術】
【０００２】
従来、複数台の磁気テープドライブを搭載可能な磁気テープライブラリ装置において、磁気テープドライブを搭載する場所として設けてあるドライブセルは、磁気テープドライブ専用のセルとして使用していた。
【０００３】
【特許文献１】特開２００３−０６７９９９号公報
【発明の開示】
【発明が解決しようとする課題】
【０００４】
そのため、搭載する磁気テープドライブの台数がドライブセル数よりも少ない場合、残りのドライブセルは空の状態になってしまい、他の用途に使用することはなく、無駄なスペースになっていた。
【０００５】
本発明の目的は、複数台の磁気テープドライブを搭載することが可能な磁気テープライブラリ装置において、磁気テープドライブを搭載するドライブセル内にスイッチを備え、磁気テープドライブだけでなくテープマガジンを搭載しても認識が可能となり、テープマガジンを搭載することにより、ドライブセルをテープ格納セルとして使用することが可能となる磁気テープライブラリ装置を提供することにある。
【課題を解決するための手段】
【０００６】
本発明の磁気テープライブラリ装置は、磁気テープを記録再生するドライブ搭載するためのセルを備えた磁気テープライブラリ装置において、ドライブセルに磁気テープドライブまたはテープマガジンが搭載された際、それらを認識するための検出スイッチを持つことを特徴とする。
【０００７】
本発明の磁気テープライブラリ装置は、複数台の磁気テープドライブを搭載することが可能な磁気テープライブラリ装置において、磁気テープドライブを搭載するドライブセル内にスイッチを備え、磁気テープドライブだけでなくテープマガジンを搭載しても認識が可能となり、テープマガジンを搭載することにより、ドライブセルをテープ格納セルとして使用することが可能となることを特徴とする。
【０００８】
即ち、本発明において、磁気テープライブラリ装置内の各ドライブセルの内側側面前後２カ所に検出スイッチを設置し、両スイッチの状態を監視することにより、磁気テープライブラリ装置はドライブセルに磁気テープドライブだけでなくテープマガジンを搭載しても認識することが可能となる。
【０００９】
図２を参照すると、ドライブセル内に設置した検出スイッチ１０および１１の両スイッチが押されＯＮの状態に保持された場合は磁気テープドライブが搭載されたと認識し、ドライブセルとして使用する。また、検出スイッチ１０がＯＮの状態に、検出スイッチ１１がＯＦＦの状態に保持された場合は、テープマガジンが搭載されたと認識し、該当ドライブセルをテープ格納セルとして使用できる。このとき使用するテープマガジンはドライブセルに搭載可能なものとする（図３）。
【発明の効果】
【００１０】
各ドライブセルに設けた２個の検出スイッチの状態により、磁気テープライブラリ装置はドライブセルに磁気テープドライブだけでなくテープマガジンを搭載しても認識することが可能となる。その結果、搭載する磁気テープドライブの台数がドライブセル数より少ない場合でも、空いているドライブセルへテープマガジンを搭載することで、ドライブセルをテープ格納セルとして使用することができるようになり、磁気テープライブラリ装置におけるテープ収納巻数を増やすことが可能となる。
【発明を実施するための最良の形態】
【００１１】
発明を実施するための最良の形態を説明する。
【実施例１】
【００１２】
図１を参照すると、本発明の一実施例として、磁気テープライブラリ装置のイメージが示されている。
【００１３】
図１において、磁気テープライブラリ装置１は、複数のテープを収納可能なテープ格納セル２、複数台の磁気テープドライブ３を搭載することができるドライブセル４、ドライブセル４の搭載状態を検出するための検出スイッチ１０，１１、テープを移動するためのアクセッサ５、ライブラリをコントロールするライブラリ制御部６から構成される。
【００１４】
図１の検出スイッチ１０，１１は図２を参照すると、各ドライブセルの内側側面前後２カ所に設置されている。ドライブセル４に何も搭載されていない場合は、検出スイッチ１０および１１はドライブセル４内部へ突出している。
【００１５】
また、ドライブセル４へ搭載するテープマガジンの一例として図３にイメージを示す。ここで、テープマガジン２０に記載している寸法はＬＴＯドライブ、テープの寸法規格を考慮した場合の一例で、テープマガジンは３巻収納可能になる。
【００１６】
ＬＴＯドライブの寸法規格：Ｈ＝８２．５ｍｍ、Ｗ＝１４６．０ｍｍ、Ｌ＝２０５．５ｍｍＬＴＯテープの寸法規格：Ｈ＝２１．５ｍｍ、Ｗ＝１０５．４ｍｍ、Ｌ＝１０２．０ｍｍ
【００１７】
次に、実施例の動作として、図１〜６を用いて説明する。
【００１８】
複数台の磁気テープドライブ３を搭載可能な磁気テープライブラリ装置１において、ドライブセル４に何も搭載されていない時は、検出スイッチ１０および１１はドライブセル４内部へ突出している。検出スイッチ１０および１１はモーメンタリータイプのプッシュスイッチであり、突出している状態がＯＦＦ、押された状態がＯＮとなる。ライブラリ制御部６は、随時両検出スイッチの状態を監視しており、検出スイッチの状態が切り替わってから、３秒後にドライブセル４の状態を判断する。
【００１９】
装置背面等からドライブセル４へ磁気テープドライブ３を搭載する場合、磁気テープドライブ３の筐体側面によって、ドライブセル４内の検出スイッチ１０および１１が押され、ＯＮの状態に切り替わる。ライブラリ制御部６は検出スイッチ１０および１１が切り替わってから、３秒後に磁気テープドライブ３が搭載されたと判断する。
【００２０】
テープマガジン２０を搭載する場合は、テープマガジン２０の形状から、検出スイッチ１０のみＯＮの状態に切り替わる。ライブラリ制御部６は３秒後にテープマガジン２０が搭載されたと判断する。
【００２１】
逆に、磁気テープドライブ３またはテープマガジン２０をドライブセル４から取り外した場合は、両検出スイッチはＯＦＦの状態に切り替わり、ライブラリ制御部６は３秒後にドライブセル４は空であると判断する。
【００２２】
また、検出スイッチ１０がＯＦＦ、検出スイッチ１１がＯＮの状態に保持されると、磁気テープドライブ３またはテープマガジン２０の搭載異常とライブラリ制御部６は判断する。
【００２３】
尚、この実施例において、ライブラリ制御部６は検出スイッチが切り替わってから３秒後に状態を判断しているが、一例であり、設定は任意である。
【図面の簡単な説明】
【００２４】
【図１】本発明の磁気テープライブラリ装置１の全体を示した図である。
【図２】本発明のドライブセル４を示した図である。
【図３】本発明のテープマガジン２０を示した図である。
【図４】本発明の磁気テープドライブ１、ドライブセル４、テープマガジン２０の関係を示した図である。
【図５】本発明の検出スイッチ１０，１１を示した図である。
【図６】本発明の検出スイッチ１０，１１とドライブセル４の関係を示した図である。
【符号の説明】
【００２５】
１    磁気テープライブラリ装置
２    テープ格納セル
３    磁気テープドライブ
４    ドライブセル
５    アクセッサ
６    ライブラリ装置
１０  検出スイッチ
１１  検出スイッチ
２０  テープマガジン
【図１】
2005174516.tif 000003
【図２】
2005174516.tif 000004
【図３】
2005174516.tif 000005
【図４】
2005174516.tif 000006
【図５】
2005174516.tif 000007
【図６】
2005174516.tif 000008